(57)【要約】【課題】撮影者の意に反した表示部の消灯を禁止し、操作上の煩わしさを解消することができる撮像装置を提供する。【解決手段】ファインダへの物体の接近を検出する物体検出部と、撮影情報または撮影画像の少なくとも一つを表示するための表示部と、物体検出部がファインダへの物体の接近を検出したときに表示部を非表示状態にする制御部と、撮像装置の姿勢を検出する姿勢検出部と、姿勢検出部の出力変化より姿勢変化量を求め、姿勢変化量が所定値より大きい場合は、物体検出部の検出結果が正常検出であると判定し、所定値以下の場合は、物体検出部の検出結果が誤検出であると判定する誤検出判定部と、を有する撮像装置であって、誤検出判定部が物体検出部の検出結果が正常検出であると判定した場合、制御部は表示部を非表示状態にし、誤検出判定部が物体検出部の検出結果が誤検出であると判定した場合、制御部は表示部の非表示状態への変更を禁止する。【選択図】図１
2012226066.tif 000002
【特許請求の範囲】
【請求項１】
ファインダを備えた撮像装置であって、
前記ファインダへの物体の接近を検出する物体検出部と、
撮影情報及び撮影画像のうち少なくとも一つを表示するための表示部と、
前記物体検出部が前記ファインダへの物体の接近を検出したときに前記表示部を非表示状態にする制御部と、
前記撮像装置の姿勢を検出する姿勢検出部と、
前記姿勢検出部の出力変化より姿勢変化量を求め、前記姿勢変化量が所定値より大きい場合は、前記物体検出部の検出結果が正常検出であると判定し、前記所定値以下の場合は、前記物体検出部の検出結果が誤検出であると判定する誤検出判定部と、を有し、
前記誤検出判定部が前記物体検出部の検出結果が正常検出であると判定した場合、前記制御部は前記表示部を非表示状態にし、
前記誤検出判定部が前記物体検出部の検出結果が誤検出であると判定した場合、前記制御部は前記表示部の非表示状態への変更を禁止することを特徴とする撮像装置。
【請求項２】
前記姿勢変化量は、前記表示部に、撮影後の撮影画像が表示されたときの前記姿勢検出部からの第一の出力と、該第一の出力の後、前記ファインダへの物体の接近が検出されたときの前記姿勢検出部からの第二の出力との差であることを特徴とする請求項１に記載の撮像装置。
【請求項３】
前記表示部はバックライトを有し、前記バックライトを消灯することにより、前記表示部を前記非表示状態にすることを特徴とする請求項１または２に記載の撮像装置。
【発明の詳細な説明】
【技術分野】
【０００１】
本発明は、接眼検出機能を備えたカメラに関するものである。
【背景技術】
【０００２】
従来、撮影者が光学ファインダを覗くあるいはカメラに顔を近づける等によって、カメラの近傍に物体があることを検出すると、カメラの撮影準備動作を開始する接眼検出機能付きカメラが知られている。
【０００３】
例えば、カメラの光学ファインダに光学式センサと投光素子を配置し、接眼したか否かを判断する光学検知方式が知られている。
【０００４】
すなわち、光学検知方式では、ファインダに物体が接近したときと遠ざかったときの、投光素子から投射した物体での反射光を受光した光学式センサの受光量に応じて、接眼したか否かを判断する方式が用いられている。
【０００５】
このような方式によるカメラにおいて、例えば、特許文献１、特許文献２で開示されているカメラでは、ファインダに物体が接近したことを物体検出部が検出すると、カメラの表示部のバックライトを自動的に消灯すると共にカメラが撮影待機状態となる。
【先行技術文献】
【特許文献】
【０００６】
【特許文献１】特許第３２７８２３０号公報
【特許文献２】特開２０００−１６５７０５号公報
【発明の概要】
【発明が解決しようとする課題】
【０００７】
しかしながら、上記した従来例の特許文献１、特許文献２等のカメラに備えられた接眼検出方法においては、つぎのような課題を有している。上記従来例では、物体検出部は近づく物体が撮影者の顔や眼であることを認識しているのではなく、任意の物体が近づいたことを検出しているだけに過ぎない。したがって、このような物体検出部に手を近づけた場合でも、表示部のバックライトを自動消灯することになる。このようなことから、撮影者が予期せぬ状況での接眼検出による表示部のバックライトの自動消灯が実行されてしまう場合が生じる。
【０００８】
これらについて、図を用いて更に詳細に説明する。
【０００９】
図４（ａ）〜（ｃ）は、上記従来例における物体検出部を備えたカメラである。
【００１０】
図中の１０１は、物体検出部であり所定の周期で撮影者の光学ファインダ１０２への接眼状態を検出している。１００は、表示部でありカメラの撮影情報、撮影画像の確認、撮影設定画面等の表示を行うことができる。
【００１１】
１０２は、光学ファインダであり、図では撮影者が覗き込むための接眼窓が表記されている。
【００１２】
図４（ａ）は、撮影者が撮影画像を表示部１００で確認している図である。表示部１００に表示された画像は所定の時間の経過後または、物体検出部１６が接眼を検出するとカメラは表示部１００のバックライト（不図示）を消灯する。
【００１３】
ところが、撮影画像の確認中である図４（ａ）の状態から図４（ｂ）のように、撮影者の指が物体検出部１０１に掛かってしまうと、物体検出部１０１は物体が近づいた、つまり、接眼したと判断し、カメラは表示部１００のバックライトを消灯してしまう。
【００１４】
このとき、カメラは、撮影者が光学ファインダ１０２に接眼していると判断しているため、撮影待機状態になっている。
【００１５】
この結果、物体検出部１０１に掛かった指を逃がしても表示部１００は図４（ａ）と同じ撮影画像確認用の表示には戻らず、図４（ｃ）のような撮影情報を設定する画面に変わってしまう。
【００１６】
このように、撮影者は、撮影画像確認中に表示部１００の表示が中断されるだけでなく、元の表示内容に復帰しなくなり、もう一度元の表示に戻すためには再生用ボタン（不図示）を押さなくてはならないという、煩わしい操作をしなくてはならなかった。
【００１７】
本発明は、上記課題に鑑み、物体検出部の検出結果が指掛かりによるものか否かを判別して撮影者の意に反した表示部の自動消灯を禁止し、操作上の煩わしさを解消することが可能となる撮像装置の提供を目的とする。
【課題を解決するための手段】
【００１８】
上記目的を達成するために、本発明は、ファインダを備えた撮像装置であって、前記ファインダへの物体の接近を検出する物体検出部と、撮影情報または撮影画像の少なくとも一つを表示するための表示部と、前記物体検出部が前記ファインダへの物体の接近を検出したときに前記表示部を非表示状態にする制御部と、前記撮像装置の姿勢を検出する姿勢検出部と、前記姿勢検出部の出力変化より姿勢変化量を求め、前記姿勢変化量が所定値より大きい場合は、前記物体検出部の検出結果が正常検出であると判定し、前記所定値以下の場合は、前記物体検出部の検出結果が誤検出であると判定する誤検出判定部と、を有し、前記誤検出判定部が前記物体検出部の検出結果が正常検出であると判定した場合、前記制御部は前記表示部を非表示状態にし、前記誤検出判定部が前記物体検出部の検出結果が誤検出であると判定した場合、前記制御部は前記表示部の非表示状態への変更を禁止することを特徴とする。
【発明の効果】
【００１９】
本発明によれば、物体検出部の検出結果が指掛かりによるものか否かを判別して撮影者の意に反した表示部の自動消灯を禁止し、操作上の煩わしさを解消することが可能となる撮像装置を実現することができる。
【図面の簡単な説明】
【００２０】
【図１】本発明の実施例における電子カメラシステムの構成を説明するブロック図である
【図２】本発明の実施例における電子カメラシステムで実行される撮影処理の手順を示すフローチャートである。
【図３】本発明の実施例における姿勢検出部１５の動作を説明する図である。
【図４】従来例における物体検出部を備えたカメラにおいて、物体検出部に指掛かりした時の動作を説明する図である。
【発明を実施するための形態】
【００２１】
以下に、本発明の好ましい実施の形態を、添付の図面に基づいて詳細に説明する。図１は、本発明の実施形態にかかるカメラシステムの構成を説明したブロック図である。
【００２２】
カメラ（撮像装置）１において、１１は光学部であり、撮影レンズ、絞り、シャッター、測光回路と、測光回路の測光結果に基づき絞り、シャッターを制御する露光制御部、撮影レンズのフォーカシングを制御する測距制御部を備えている（構成要素は全て不図示）。
【００２３】
１２は、撮像部であり、光学部１１を通過した光学像を例えばＣＭＯＳセンサやＣＣＤ等の撮像素子で電気信号に光電変換し、光電変換された電気信号をＡ／Ｄ変換し、このＡ／Ｄ変換の出力データを所定の画素補間処理や色変換処理等の画像処理を行う。撮像部１２で画像処理されたデータは表示用データと記録用データとしてそれぞれ後述の表示部１３、記録部１４に出力される。
【００２４】
表示部１３は、撮像部１２より入力された表示用データを一時的に記憶する画像表示メモリと、記憶された表示用データをＤ／Ａ変換するＤ／Ａ変換器と、Ｄ／Ａ変換された表示データを出力するＴＦＴ型カラーＬＣＤ等の表示パネルから構成される。なお、これらの構成要素は不図示である。表示部１３には撮影画像や、後述のシステム制御部１８から出力されたカメラの動作状態および設定情報等といったカメラの撮影情報が表示される。本実施例では、表示部１３に液晶ディスプレイを使用しているが、本発明はこれに限定されるものではない。例えば、表示部１３に自発光素子を利用した有機ＥＬディスプレイを使用してもよい。
【００２５】
記録部１４は、撮像部１２より入力された記録用データを一時的に記憶する画像データメモリと、記憶された記録用データを圧縮・伸長する圧縮・伸張回路、記録媒体２２と接続を行うインターフェースから構成される（構成要素は全て不図示）。
【００２６】
１５は、姿勢検出部であり、カメラ１の姿勢状態の検出を行う。これは例えば加速度センサのような検出素子から構成される（構成要素は不図示）。姿勢検出部１５は図３（ｃ）のようにカメラ１の光軸方向をｘ軸としたとき、ｘ軸と直行したｙ軸を中心として回転させると、回転角度に応じた出力を得ることができる。回転角度に対する姿勢検出部１５の出力波形は図３（ｄ）のようなＳｉｎカーブを描く。この姿勢検出部１５をカメラ１に内蔵することにより、光軸方向と直行する軸（図３（ｃ）のｙ軸）を中心としたカメラ１の回転角度を知ることができる。本発明では、この回転角度によりカメラ１の姿勢状態を表している。
【００２７】
また、本発明では、撮影直後の確認画像表示時での姿勢検出部１５の出力（以降姿勢検出出力と記載する）Ｐ１（第一の出力）、前記確認画像表示中に物体検出部１６により物体検出された時の姿勢検出出力Ｐ２（第二の出力）を取得する。そして、この姿勢検出出力Ｐ１、Ｐ２を誤検出判定部１７へ出力する。
【００２８】
ここで、姿勢検出出力Ｐ１、Ｐ２は、カメラ１の回転角度がそれぞれθ１、θ２とすると、
Ｐ１  ＝  ｓｉｎθ１      ・・・  （１）
Ｐ２  ＝  ｓｉｎθ２      ・・・  （２）
で表すことができる。
【００２９】
物体検出部１６は、ＬＥＤと受光センサで構成される光学式検知手段（不図示）のように、光学ファインダ２１の接眼位置（例えば図４（ａ）〜（ｃ））の周囲に配置されている。光学検知手段は、ＬＥＤから投射した光が障害物に当たると障害物からの反射光を受光センサが受光する。受光センサは、上記反射光の強さに応じて受光信号を出力する。
【００３０】
例えば、図３（ａ）は撮影者が撮影画像の確認のため、表示部１３である表示パネルを覗いている図である。この場合は撮影者が光学ファインダ２１より充分離れているため物体検出部１６は物体の接近、つまり接眼を検出しない。また、図３（ｂ）は撮影者が撮影対象に向けて撮影または構図決めのための撮影準備をしている図である。この場合は撮影者が光学ファインダ２１に充分近いため物体検出部１６は接眼を検出する。物体検出部１６の検出結果は、後述するシステム制御部１８に出力される。システム制御部１８は、この出力と後述する誤検出判定部１７との結果に応じて表示部１３の制御を行う。
【００３１】
誤検出判定部１７は、物体検出部１６が接眼を検出した時に、姿勢検出部１５から出力されたカメラ１の所定の異なる二状態での姿勢検出出力の出力変化より姿勢変化量を求め、この姿勢変化量より物体検出部１６の検出結果の正誤判定を行う。
【００３２】
この正誤判定結果が“正常検出である”と判定した場合には、システム制御部１８が表示部１３を非表示状態にするとともにカメラ１が撮影待機状態になる。一方、誤検出判定部１７が“誤検出である”と判定した場合には、システム制御部１８が表示部１３の非表示状態への変更を禁止し表示動作を続行する。
【００３３】
姿勢変化量は、前述した撮影直後の確認画像表示時での姿勢検出部１５の姿勢検出出力Ｐ１と前記確認画像表示中に物体検出部１６により接眼検出された時の姿勢検出出力Ｐ２の差である。そして、この姿勢変化量と所定値の比較結果より物体検出部１６の検出結果の正誤判定を行う。
【００３４】
ここで姿勢変化量Ｍは、
Ｍ  ＝  ｜Ｐ１−Ｐ２｜    ・・・  （３）
で表される。
【００３５】
誤検出判定部１７の正誤判定例は、カメラ１が撮影後の確認用画像（以降、確認用画像と記述）表示中に撮影者が光学ファインダ２１に接眼したとき、つまり図３（ａ）の状態から図３（ｂ）の状態に移った時のカメラ１の姿勢変化量Ｍは比較的大きい。撮影者が確認用画像を見ながらカメラ１の姿勢が大きく変わることは考えにくいため、このようなときには物体検出部１６の検出結果は正しいと判断し、表示部１３を非表示状態にするとともにカメラ１を撮影待機状態にする。一方、確認用画像表示中に物体検出部１６に指掛かりしたとき、つまり図３（ａ）の状態を維持しているが物体検出部１６が接眼を検出したときにはカメラ１の姿勢変化量Ｍは非常に小さい。撮影者が確認用画像を見ている時と略同じ姿勢から撮影動作に入ることは考えにくいため、このようなときには物体検出部１６の検出結果は誤りであると判断し、表示部１３の非表示状態への変更を禁止し確認用画像の表示動作を継続する。
【００３６】
システム制御部１８は、カメラ１全体を制御しており、内部にＲＯＭ、ＲＡＭ、Ａ／Ｄ変換器、Ｄ／Ａ変換器、時計機能を有するマイクロコンピュータから構成される（構成要素は不図示）。特に本実施例では、物体検出部１６、誤検出判定部１７の出力情報により、表示部１３の制御も行っている。
【００３７】
１９は、撮影のためのレリーズスイッチＳＷ１であり、不図示のレリーズボタンの半押し状態でＯＮとなり、光学部１１におけるＡＦ（オートフォーカス）処理、ＡＥ（自動露出）処理等の動作開始を指示する。
【００３８】
２０は、撮影のためのレリーズスイッチＳＷ２であり、不図示のシャッターボタンの全押し状態でＯＮとなる。そして、光学部１１に備えられた光学レンズの絞りおよびシャッターを制御して撮像部１２に光学像を取り込ませる露光処理や、取得した光情報の画像処理等の動作開始を指示する。
【００３９】
２１は、撮影者が被写体を観測するための光学ファインダである。
【００４０】
２２は、メモリカードやハードディスク等の記録媒体であり、撮影画像はここに記憶される。記録媒体２２は不図示のインターフェースを介して記録部１４と接続され、撮影画像の書き込みや画像再生時の読み出しが行われる。尚、記録媒体２２はカメラ１に内蔵されていても構わない。
【００４１】
以上が本実施例にかかるカメラシステムの構成の説明である。
【００４２】
図２は、本実施例の動作を説明したフローチャートであり、カメラ１の撮影、撮影した画像の表示動作の概要を説明したものである。
【００４３】
ステップＳ２００でカメラ１の電源（不図示）が入ると、ステップＳ２０１で物体検出部１６が起動する。ステップＳ２０２では物体検出部１６により接眼検出動作が実行され、光学ファインダ２１に接眼したと判断された場合は、ステップＳ２０３で表示部１３の表示パネルであるところのＴＦＴ（以下ＴＦＴ）のバックライトを消灯し、ステップＳ２０５へ進み撮影待機状態となる。一方接眼したと判断されなかった場合はステップＳ２０４でＴＦＴを点灯するとともにカメラの設定情報を表示して、ステップＳ２０５へ進み撮影待機状態となる。
【００４４】
ステップＳ２０５ではレリーズボタンが半押し状態（ＳＷ１（図１の１９）がＯＮ）であるかを判別している。ＳＷ１がＯＦＦつまりレリーズボタンが半押しされていないときにはステップＳ２０２に戻り、ステップ２０５でＳＷ１がＯＮになるまでステップＳ２０２〜ステップＳ２０５の動作を繰り返す。一方ＳＷ１がＯＮつまりレリーズボタンが半押し状態の時にはステップＳ２０６へ進む。
【００４５】
ステップＳ２０６で光学部１１による測光、測距動作が行われる。
【００４６】
ステップＳ２０７ではレリーズボタンが全押し状態（ＳＷ２（図１の２０）がＯＮ）であるかを判別しており、ＳＷ２がＯＦＦの場合にはステップＳ２０８でＳＷ１の状態を確認する。ＳＷ１がＯＮの場合にはレリーズボタンが半押し状態にあって、レリーズボタンの全押し待機状態なので、ステップＳ２０７へ戻りＳＷ２の状態を監視し続ける。ステップＳ２０８でＳＷ１がＯＦＦの場合にはレリーズスイッチは押されていない状態にあり、ステップＳ２０２に戻り、ステップ２０５でＳＷ１がＯＮになるまでステップＳ２０２〜ステップＳ２０５の動作を繰り返す。一方ステップ２０７でＳＷ２がＯＮの場合にはレリーズスイッチが全押しされているので、ステップＳ２０９で静止画の撮影が実行される。ステップＳ２０９の撮影動作で光学部１１、撮像部１２を介して取得した画像データは表示部１３内の画像表示メモリ（不図示）及び記録部１４内の画像データメモリ（不図示）に格納される。
【００４７】
ステップＳ２１０では物体検出部１６により接眼検出動作が実行され、接眼検出結果が、“接眼している”場合は撮影者が撮影待機状態にあるものと判断し、ステップＳ２１１でＳＷ１の状態を判別する。ステップＳ２１１でＳＷ１がＯＮの時には、ステップＳ２０６へ進み撮影準備に入り、ＳＷ１がＯＦＦの時にはステップＳ２１０に戻り再度接眼検出動作を行う。ステップＳ２１０で接眼検出結果が“接眼していない”であればステップＳ２０９で撮影された画像をＴＦＴへ確認用画像として表示する（ステップＳ２１２）。次にステップＳ２１３では、この時のカメラ１の姿勢状態を姿勢検出部１５で検出するとともに、この時の姿勢検出出力Ｐ１を誤検出判定部１７へ出力する。
【００４８】
次にステップＳ２１４では再び物体検出部１６で接眼検出を行い、接眼検出結果が“接眼していない”であれば、ＴＦＴの確認用画像は継続して表示され、ステップ２１７で表示時間の確認を行う。この表示時間は不図示の操作釦により例えば２秒、５秒、１０秒など撮影者が自由に設定可能である。ステップＳ２１７においてＴＦＴの確認画像の表示時間が所定時間に到達しているときは、ステップＳ２１８でＴＦＴの確認用画像表示を消灯し、ステップＳ２０２の撮影待機状態に戻る。表示時間が所定時間に到達していないときには、ＴＦＴの表示はそのままでステップＳ２１４に戻る。
【００４９】
一方、ステップＳ２１４の物体検出部１６による接眼検出結果が“接眼している”であれば、ステップＳ２１５でこの時のカメラ１の姿勢状態を姿勢検出部１５で検出するとともに、この時の姿勢検出出力Ｐ２を誤検出判定部１７に出力する。
【００５０】
ステップＳ２１６では誤検出判定部１７に入力されたカメラ１の姿勢検出出力Ｐ１、Ｐ２より（３）式で求められるカメラ１の姿勢変化量Ｍと所定値とを比較する。この比較結果に応じてステップＳ２１４での物体検出部１６の検出結果の正誤判定を行う。本実施例ではカメラ１の姿勢変化量Ｍが所定値より大きい場合には、撮影者が撮影画像の確認動作から撮影動作に入ろうとしているものと判断し、ステップＳ２０３に進みＴＦＴのバックライトを消灯して撮影待機状態に移行する。移動量Ｍが所定値以下の場合は、カメラ１の姿勢変化量が小さく、撮影者が撮影状態に入っているとは考えられないため、物体検出部１６が接眼以外の障害物による誤検出と判断し、ＴＦＴの確認用画像は継続表示し、ステップＳ２１７で表示時間の確認を行う。ステップＳ２１７においてＴＦＴの確認画像の表示時間が所定時間に到達しているときは、ステップＳ２１８でＴＦＴの確認画像表示を消灯し、ステップＳ２０２の撮影待機状態に戻る。表示時間が所定時間に到達していないときには、ＴＦＴの表示はそのままでステップＳ２１４に戻る。
【００５１】
以上で説明した実施例によれば、物体検出部１６が接眼したと検出しても誤検出判定部１７で正誤判定を行い、物体検出部１６の検出結果が誤検出と判断した場合には表示部１３の非表示状態への変更を禁止することができる。
【００５２】
これにより、物体検出部１６が誤った検出を行ったとしても操作上の煩わしさを解消することが可能となる。
【００５３】
本実施形態では、撮影者がファインダを覗いて光学像を観察する光学ファインダを例に説明したが、撮影者がファインダを覗いて電子像を観察する電子ファインダであっても、同様の作用効果を奏する。
【符号の説明】
【００５４】
１：カメラ
１３：表示部
１５：姿勢検出部
１６：物体検出部
１７：誤検出判定部
１８：システム制御部
２１：光学ファインダ
【図１】
2012226066.tif 000003
【図２】
2012226066.tif 000004
【図３】
2012226066.tif 000005
【図４】
2012226066.tif 000006